(57)【要約】【課題】従来の花器は、保管・輸送に大きなスペースを必要とし、倒れただけでこれが壊れたり、取り扱い中に物に当たってこれが壊れたりするという問題があった。これは、ガラスや陶磁器製にて筒状・壺状に成形されているためである。【解決手段】開閉自在なる折り曲げ線をもって扁平状に折り畳みできる筒状に形成した外枠内に、対応的切り込み溝に互いに嵌合して組合せて十字形に交差するところの一対の保持板からなり、この保持板の上辺中央の保持凹部に紙コップ等の貯水容器を着脱自在に装着した保持体を内設し、一対の保持板の下辺を、卓上に二重に載置するところの水平板に逆Ｔ字形にそれぞれ接合して保持体を直立している。これにより、小さなスペースで保管・輸送が可能な折り畳み方式となると共に、卓上に倒れることのない組立花器にすることができる。【選択図】図７
2007289613.tif 000002
【特許請求の範囲】
【請求項１】
開閉自在なる折り曲げ線により折り畳みできる断面形状が正方形の筒状に形成した外枠内に、一対の四辺形からなる保持板を、前記外枠対角線上に十字形とする交差線上にて、上下の対応的切り込み溝に互いに嵌合して組合せ、前記保持板の上辺中央には、湯呑型の貯水容器側面が当接するところの対向する一対の側辺と、前記貯水容器底面を載置して前記外枠下部開口縁に平行なる底辺の３辺からなる保持凹部をそれぞれ配設して、前記貯水容器を着脱自在に装着できるところの保持体を内設した組立花器。
【請求項２】
卓上に二重に載置するうちの下側水平板に、前記切り込み溝を交差線上の上方向に有するところの保持板の下辺を、開閉自在なる折り曲げ線をもつて逆Ｔ字形に接合し、前記切り込み溝を交差線上の上方向に有するところの保持板が貫通できる開口部を有する上側水平板には、前記切り込み溝を交差線上の下方向に有するところの保持板の下辺を、開閉自在なる折り曲げ線をもつて逆Ｔ字形に接合した請求項１記載の組立花器。
【請求項３】
前記外枠に接合して壁面に並設するところの垂直板に、前記切り込み溝を交差線上の上方向に有するところの保持板の対向する縦辺のうちの１辺を、開閉自在なる折り曲げ線をもつて接合した請求項１記載の組立花器。
【請求項４】
中央付近には生花挿し入れ口を有するところの正方形からなる上部閉塞板を、前記保持板の上辺上に載置した請求項１〜３の何れかに記載の組立花器。
【請求項５】
対角線上の四角の切り込み溝に前記保持板を嵌合するところの正方形からなる下部閉塞板を、前記保持凹部の底辺上に載置した請求項１〜４の何れかに記載の組立花器。
【発明の詳細な説明】
【技術分野】
【０００１】  本発明は、家庭・事務所等で使用されるもので、主として一輪ざし等の小さな花を生けるための組立花器に関する。
【背景技術】
【０００２】  従来、家庭・事務所等で使用される花器は、ガラスや陶磁器製にて筒状・壺状に成形していた。
【発明の開示】
【発明が解決しようとする課題】
【０００３】  背景技術で述べたガラスや陶磁器製にて筒状・壺状に成形された花器は、形状が筒状・壺状であることより保管・輸送に大きなスペースを必要とすることになる。そして、花を生けた状態で倒れただけでこれが壊れたり、取り扱い中に物に当たってこれが壊れたりするため細心の注意を払う必要があつた。【０００４】  本発明は、従来のこのような問題点に鑑みてなされたものであり、その目的とするところは、小さなスペースで保管・輸送が可能な折り畳み方式とし、倒れて壊れることのない組立花器を提供しようとするものである。
【課題を解決するための手段】
【０００５】  そして、本発明は上記目的を達成するために、開閉自在なる折り曲げ線により折り畳みできる断面形状が正方形の筒状に形成した外枠内に、一対の四辺形からなる保持板を、前記外枠対角線上に十字形とする交差線上にて、上下の対応的切り込み溝に互いに嵌合して組合せ、前記保持板の上辺中央には、湯呑型の貯水容器側面が当接するところの対向する一対の側辺と、前記貯水容器底面を載置して前記外枠下部開口縁に平行なる底辺の３辺からなる保持凹部をそれぞれ配設して、前記貯水容器を着脱自在に装着できるところの保持体を内設したものである。【０００６】  また、第２の課題解決手段は、卓上に二重に載置するうちの下側水平板に、前記切り込み溝を交差線上の上方向に有するところの保持板の下辺を、開閉自在なる折り曲げ線をもつて逆Ｔ字形に接合し、前記切り込み溝を交差線上の上方向に有するところの保持板が貫通できる開口部を有する上側水平板には、前記切り込み溝を交差線上の下方向に有するところの保持板の下辺を、開閉自在なる折り曲げ線をもつて逆Ｔ字形に接合したものである。【０００７】  また、第３の課題解決手段は、前記外枠に接合して壁面に並設するところの垂直板に、前記切り込み溝を交差線上の上方向に有するところの保持板の対向する縦辺のうちの１辺を、開閉自在なる折り曲げ線をもつて接合したものである。【０００８】  また、第４の課題解決手段は、中央付近には生花挿し入れ口を有するところの正方形からなる上部閉塞板を、前記保持板の上辺上に載置したものである。【０００９】  また、第５の課題解決手段は、対角線上の四角の切り込み溝に前記保持板を嵌合するところの正方形からなる下部閉塞板を、前記保持凹部の底辺上に載置したものである。【００１０】  上記第１の課題解決手段による作用は次の通りである。すなわち、保持体を内設するところの外枠が、開閉自在なる折り曲げ線をもって扁平状に折り畳みできて、小さなスペースで保管・輸送が可能な折り畳み方式となると共に、一対の保持板が対応的切り込み溝に互いに嵌合して組合せられて十字形に交差するところの保持体の、保持板の上辺中央に設けた保持凹部に湯呑型の貯水容器を着脱自在に装着できる。【００１１】  また、第２の課題解決手段による作用は、保持体を形成する一対の保持板の下辺を、卓上に二重に載置するところの水平板に逆Ｔ字形にそれぞれ接合して保持体を直立することにより、組立花器は卓上に倒れることのないものとなる。【００１２】  また、第３の課題解決手段による作用は、保持体を形成する保持板の縦辺の１辺を、前記外枠に接合して壁面に並設するところの垂直板に接合して、この垂直板を壁面に固定することにより組立花器は壁面に簡単に固定されることとなる【００１３】  また、第４の課題解決手段による作用は、中央付近に生花挿し入れ口を有する正方形からなる上部閉塞板を、前記保持板の上辺上に載置して、外枠内側に正方形の上部閉塞板が当接することにより、外枠は断面形状が正方形なる筒状に安定するとともに、上部閉塞板は外枠の上部開口部を閉塞して、内部の保持体や貯水容器が見えることはなく、生花は生花挿し入れ口の開口縁に当接して安定することとなる。【００１４】  また、第５の課題解決手段によ���作用は、対角線上の四角に切り込み溝を有する正方形からなる下部閉塞板を、前記保持凹部の底辺上に載置して、外枠内側に正方形の下部閉塞板が当接することにより、外枠は断面形状が正方形なる筒状に安定するとともに、四角の切り込み溝には保持板がそれぞれ嵌合されて、一対の保持板が十字形に交差する状態は安定し、外枠の下部開口部は閉塞されることとなる。
【発明の効果】
【００１５】  上述したように本発明における組立花器は、小さなスペースで保管・輸送が可能な折り畳み方式の花器となると共に、湯呑型の貯水容器を着脱自在に装着できる。【００１６】  また、卓上に載置するところの水平板は、保持体及び外枠を卓上に直立することとなり、組立花器は倒れることのないものとなる。【００１７】  また、壁面に並設するところの垂直板に保持体は接合されて、組立花器は壁面に簡単に固定されることとなる。【００１８】  また、生花挿し入れ口を有する上部閉塞板は、外枠を断面形状が正方形なる筒状に安定するとともに、上部開口部を閉塞し、生花は生花挿し入れ口の開口縁に当接して安定することとなる。【００１９】  また、下部閉塞板は、外枠を断面形状が正方形なる筒状に安定するとともに、下部開口部を閉塞し、一対の保持板が十字形に交差する状態は安定することとなる。
【発明の実施するための最良の形態】
【００２０】  以下、本発明の実施の形態１〜３を、図１〜図１３に基づいて説明する。
【００２１】  先ず、実施の形態１を示す図１〜図６において、組立花器は外枠１、保持体２、上部閉塞板３、下部閉塞板４、貯水容器５より構成されている。
外枠１は１枚の厚み０．２ｍｍ程度の厚紙を用い、４枚の側板１Ａ〜１Ｄからなるところの断面形状が正方形なる筒状にしたものであり、４角１Ｅ〜１Ｈのうちの角１Ｅにて、一方の側板１Ｄにのり代１Ｉを設けて、他方の側板１Ａに接着剤で貼り合わせている。
また、外枠１は、４角１Ｅ〜１Ｈに配設した折り曲げ線１Ｊ〜１Ｍにより、側板１Ａと１Ｄ及び側板１Ｂと１Ｃをそれぞれ折り重ねて、扁平状に折り畳まれることとなる。
【００２２】  外枠１内に内設するところの保持体２は、厚み０．５ｍｍ程度の厚紙にて、四辺６Ａ〜６Ｄ、７Ａ〜７Ｄからなる四辺形の外形形状が同等なる一対の保持板６、７より構成され、この一対の保持板６、７の上辺６Ａ、７Ａ中央には、飲料自動販売機にも使用されている市販の紙コップからなる貯水容器５の側面５Ａが当接するところの対向する一対の側辺６Ｅ、６Ｆ及び７Ｅ、７Ｆと、外枠１下部開口縁１Ｎに平行して貯水容器５底面５Ｂを載置するところの底辺６Ｇ、７Ｇの３辺からなる保持凹部６Ｈ、７Ｈをそれぞれ配設している。
また、一対の保持板６、７は、外枠１内側の対角線１Ｐ、１Ｑ上に十字形に交差しており、それぞれの保持凹部６Ｈ、７Ｈの底辺６Ｇ、７Ｇと、保持板６、７の下辺６Ｃ、７Ｃとの間に位置する交差線６Ｉ、７Ｉ上において、一方の保持板６には、下辺６Ｃより中間点６Ｊまでの下半分に切り込み溝６Ｋを配設しており、他方の保持板７には、保持凹部７Ｈの底辺７Ｇより中間点７Ｊまでの上半分に切り込み溝７Ｋを配設し、この上下の対応的切り込み溝６Ｋ、７Ｋに、保持板６、７を互いに嵌合している。
したがって、一対の保持板６、７は簡単に十字形に組立ができ、十字形に交差する保持板６、７のそれぞれの両端の縦辺６Ｂ、６Ｄ及び７Ｂ、７Ｄが、外枠１内側の四角１Ｅ〜１Ｈに挟着され、この保持板６、７の上辺６Ａ、７Ａ高さは外枠１上部開口縁１Ｒより低いものとしているので、保持体２は外枠１内に収まつて、外枠１は断面形状が正方形なる筒状に安定することとなる。また、保持体２も外枠１内に安定して保持され、保持体２の保持凹部６Ｈ、７Ｈ内に収納される貯水容器５も、外枠１内に安定して着脱自在に装着されると共に、小さなスペースで保管・輸送が可能な折り畳み方式の花器にすることができる。
【００２３】  上部閉塞板３は、厚み０．５ｍｍ程度の厚紙を用いて、外枠１の上部開口部１Ｓより一回り小さいところの正方形の形状にて、中央付近には円形の生花挿し入れ口３Ａを有し、十字形に交差した保持板６、７の上辺６Ａ、７Ａ上に載置している。
したがって、外枠１内側に正方形の上部閉塞板３が当接することにより、外枠１は断面形状が正方形なる筒状に安定するとともに、上部閉塞板３は外枠１の上部開口部１Ｓを閉塞して、内部の保持体２や貯水容器５が見えることはなく、生花は生花挿し入れ口３Ａの開口縁３Ｂに当接して安定した状態となる。
【００２４】  下部閉塞板４も、厚み０．５ｍｍ程度の厚紙を用いて、外形形状は上記の上部閉塞板３と同等であるが、四角４Ａ〜４Ｄには対角線４Ｅ、４Ｆに沿って切り込み溝４Ｇ〜４Ｊを設けている。なお、この切り込み溝４Ｇ〜４Ｊには交差する保持板６、７がそれぞれ嵌合できるものとなっている。
したがって、この下部閉塞板４を、保持体２の保持凹部６Ｈ、７Ｈ底辺６Ｇ、７Ｇ上に載置する時、四角４Ａ〜４Ｄの切り込み溝４Ｇ〜４Ｊには保持板６、７がそれぞれ嵌合されて、この一対の保持板６、７が十字形に交差する状態は安定し、外枠１も断面形状が正方形なる筒状に安定することになるとともに、外枠１の下部開口部１Ｔは閉塞される。
なお、下部閉塞板４を保持凹部６Ｈ、７Ｈ底辺６Ｇ、７Ｇ上に載置することにより、貯水容器５は下部閉塞板４上に載置することとなるが、貯水容器５はより安定することとなり問題はない。
【００２５】  上記の実施例において、外枠１、保持板６、７、上部閉塞板３、下部閉塞板４は厚紙製としているが、これをプラスチック板や木製板等とし、折り曲げ線を要する角には折り曲げできるところの厚紙や、軟質なるプラスチック板等を使用してもよい。
また、飲料自動販売機にも使用されている市販の紙コップを貯水容器５としているが、開閉自在なる折り曲げ線により折り畳みできる筒状の容器内に、整形自在なる防水板を内設するならば、小さなスペースで保管・輸送が可能な折り畳み方式の貯水容器とすることができる。
【００２６】  また、厚紙からなる外枠１においては、４枚の側板１Ａ〜１Ｄ外側にプラスチック板や木製板等を貼り付けてもよい。
また、外枠１を扁平状に折り畳む場合、側板１Ａと１Ｄ、１Ｂと１Ｃ、又は、１Ａと１Ｂ、１Ｃと１Ｄをそれぞれ折り重ねて、折り重ねた大きさは側板１Ａと１Ｂ、又は、１Ａと１Ｄを合せたものとなっているが、４枚の側板１Ａ〜１Ｄのうちの対向する一対の側板に、四角１Ｅ〜１Ｈの折り曲げ線１Ｊ〜１Ｍに平行してこれを二等分する折り曲げ線を設け、これを他方の一対の側板の間に折り畳むならば、折り畳んだ大きさは側板１枚分の大きさとすることができる。
また、外枠１は断面形状が正方形なる筒状としているが、これを円形の筒状とし、外形形状をそれぞれ円形とする上部閉塞板及び下部閉塞板を付設するならばより安定したものとなる。また、断面形状を長方形の筒状とし、一対の保持板をＸ字形に交差するものとしてもよい。
【００２７】  また、外枠１の側板１Ａ〜１Ｄを形成している厚紙に強度が無い場合、上部開口部１Ｓの開口縁１Ｒで折り返して側板を二重構造とし、さらに、この二重構造の間に別の補強板を下方向より挿入するならば、側板は強度のあるものとなる。
なお、外枠１の強度には関係なく、色・柄等を変更したい場合、断面形状が実施例の外枠１より一回り大きいものを、上部開口部の開口縁で折り返して外枠１に付設してもよい。
【００２８】  また、一対の保持板６、７は、交差線６Ｉ、７Ｉ上の対応的切り込み溝６Ｋ、７Ｋに互いに嵌合して十字形に交差しているが、一対の保持板６、７のうちの一方の保持板を交差線上にて二等分割して、この分割保持板を、交差線６Ｉ、７Ｉ上にて開閉自在なる折り曲げ線をもつて他方の保持板にそれぞれ接合し、交差線６Ｉ、７Ｉを中心として上記の実施例と同等の保持凹部をこれに設けるならば、この保持体も貯水容器５を着脱自在に装着し、折り畳みもできることは言うまでもない。
【００２９】  また、上部閉塞板３は、四辺形なる一対の保持板６、７の上辺６Ａ、７Ａ上に載置しているが、上部閉塞板３の四角に下部閉塞板４と同様な対角線に沿った切り込み溝を設け、この切り込み溝に、保持板６、７の上辺６Ａ、７Ａ両端に突設する係止凸部を嵌合するならば、外枠１の上部開口部１Ｓは閉塞されるとともに保持体２はより安定したものとなる。
【００３０】  次に、実施の形態２を示す図７〜図１０において、組立花器は外枠１、保持体８、上部閉塞板３、貯水容器５より構成されている。
実施の形態２は、上記実施の形態１における保持体２に、卓上に二重に載置するところの長方形からなる上側水平板９と下側水平板１０をそれぞれ接合する場合の実施例であり、外枠１、上部閉塞板３、貯水容器５は実施の形態１におけるものと共通である。
【００３１】  保持体８は、一対の保持板１１、１２からなり、保持板１２は二重の上側水平板９、下側水平板１０のうちの下側水平板１０に上記実施の形態１の保持板７を、また、保持板１１は上側水平板９に上記実施の形態１の保持板６をそれぞれ接合するものである。
まず、保持板１２は分割水平板１５、１６と二重保持板１９、２０より構成されており、切り込み溝１９Ｋ、２０Ｋを交差線１９Ｉ、２０Ｉ上の上半分に有するところの二重保持板１９、２０は、上記実施の形態１における保持板７とそれぞれ同等であり、四辺１９Ａ〜１９Ｄ、２０Ａ〜２０Ｄ、側辺１９Ｅ、１９Ｆ、２０Ｅ、２０Ｆ、底辺１９Ｇ、２０Ｇ、保持凹部１９Ｈ、２０Ｈ、交差線１９Ｉ、２０Ｉ、中間点１９Ｊ、２０Ｊ、切り込み溝１９Ｋ、２０Ｋは、実施の形態１における保持板７の四辺７Ａ〜７Ｄ、側辺７Ｅ、７Ｆ、底辺７Ｇ、保持凹部７Ｈ、交差線７Ｉ、中間点７Ｊ、切り込み溝７Ｋにそれぞれ相当するものである。
また、分割水平板１５、１６は厚み０．５ｍｍ程度の厚紙からなる下側水平板１０を、長方形からなる短辺に平行するところの中央付近の分割線１０Ａをもつて２分割して四辺１５Ａ〜１５Ｄ、１６Ａ〜１６Ｄからなる２枚の長方形から構成されている。
そして、この二重保持板１９、２０の下辺１９Ｃ、２０Ｃは、分割水平板１５、１６の分割線１０Ａに位置するところの２辺１５Ａ、１６Ａの中央付近に、開閉自在なる折り曲げ線をもつて一体にそれぞれ接合している。
また、二重保持板１９、２０は、接着剤にて互いに貼り合せたところの二重構造としており、この二重保持板１９、２０と分割水平板１５、１６は逆Ｔ字形に形成されることとなると共に、二重保持板１９、２０を中にして分割水平板１５、１６は折り重ねができることとなる。
【００３２】  次に、保持板１１は分割水平板１３、１４と二重保持板１７、１８より構成されており、切り込み溝１７Ｋ、１８Ｋを交差線１７Ｉ、１８Ｉ上の下半分に有するところの二重保持板１７、１８は、上記実施の形態１における保持板６とそれぞれ同等であり、四辺１７Ａ〜１７Ｄ、１８Ａ〜１８Ｄ、側辺１７Ｅ、１７Ｆ、１８Ｅ、１８Ｆ、底辺１７Ｇ、１８Ｇ、保持凹部１７Ｈ、１８Ｈ、交差線１７Ｉ、１８Ｉ、中間点１７Ｊ、１８Ｊ、切り込み溝１７Ｋ、１８Ｋは、実施の形態１における保持板６の四辺６Ａ〜６Ｄ、側辺６Ｅ、６Ｆ、底辺６Ｇ、保持凹部６Ｈ、交差線６Ｉ、中間点６Ｊ、切り込み溝６Ｋにそれぞれ相当するものである。
また、分割水平板１３、１４は厚み０．５ｍｍ程度の厚紙からなる上側水平板９を、長方形からなる長辺に平行するところの中央付近の分割線９Ａをもつて２分割して四辺１３Ａ〜１３Ｄ、１４Ａ〜１４Ｄからなる２枚の長方形から構成されている。
そして、上記二重保持板１９、２０と同様な要領にて、この二重保持板１７、１８の下辺１７Ｃ、１８Ｃは、分割水平板１３、１４の分割線９Ａに位置するところの２辺１３Ａ、１４Ａの中央付近に、開閉自在なる折り曲げ線をもつて一体にそれぞれ接合している。
また、上記二重保持板１９、２０と同様な要領にて、二重保持板１７、１８は、接着剤にて互いに貼り合せたところの二重構造としており、この二重保持板１７、１８と分割水平板１３、１４は逆Ｔ字形に形成されることとなると共に、二重保持板１７、１８を中にして分割水平板１３、１４は折り重ねができることとなる。
【００３３】  また、二重保持板１７、１８と１９、２０を十字形に交差する場合、すなわち、上側水平板９と下側水平板１０を重ね合わせる場合において、保持板１１の上側水平板９には、保持板１２の二重保持板１９、２０が貫通できるところの開口部２１Ａ、２１Ｂを設けている。
なお、上側水平板９は分割線９Ａにより分割水平板１３、１４に２分割されて、開口部２１Ａ、２１Ｂも２分割されており、二重保持板１７、１８の切り込み溝１７Ｋ、１８Ｋと同一線上に位置している開口部２１Ａ、２１Ｂは、この切り込み溝１７Ｋ、１８Ｋをそれぞれ含むものとしている。
したがって、重ね合わせた上側水平板９と下側水平板１０に、十字形に交差するところの二重保持板１７、１８と１９、２０が直立することとなり、この保持体８を外枠１内に内設する時、上記実施の形態１と同等の要領にて貯水容器５及び上部閉塞板３を装着した外枠１は、安定して直立されて、組立花器が卓上に安定して載置されることとなる。
【００３４】  上記の実施例において、外枠１の下部開口部１Ｔは、上側水平板９と下側水平板１０により見えることはないため、上記実施の形態１における下部閉塞板４は付設していないけれども、二重保持板１７、１８と１９、２０の十字形に交差する状態を安定するために下部閉塞板４を付設してもよいことは言うまでもない。
また、保持板１１、１２は厚紙製としているが、これをプラスチック板や木製板等とし、分割水平板と二重保持板を接合するところの角には、折り曲げできる厚紙や軟質なるプラスチック板等を使用し、これを接着剤にて貼り合せてもよい。
【００３５】  また、保持板１１、１２は、それぞれ２枚の厚紙より形成されているが、二重保持板１７、１８と１９、２０の上辺１７Ａ、１８Ａと１９Ａ、２０Ａで折り返すところの１枚の厚紙にて形成してもよい。
また、分割水平板１３、１４と１５、１６は小さく折り畳むために２分割しているが、２分割しない１枚もののほうが、より安定して直立できることは言うまでもない。そこで、二重保持板１７、１８と１９、２０の下辺に折り曲げ線をもつて接続片を付設し、これを２分割しない１枚ものの水平板に接着剤にて貼り合せてもよい。
また、実施例の上側水平板９と下側水平板１０の上に、さらに、２分割しない１枚ものを重ねて付設して保持体８がより安定できるようにしてもよい。ただし、この重ねて付設する１枚ものの中央付近には、十字形に交差するところの二重保持板１７、１８と１９、２０が貫通できる開口部が必要となる。
また、この十字形の開口部の中に二重保持板１７、１８と１９、２０が挟着されて、上側水平板９と下側水平板１０が無くても保持体８が安定するのであれば、二重保持板１７、１８と１９、２０を二重構造とする必要もなく、上記実施の形態１における保持板６、７と同等なものでよくなることは言うまでもない。
【００３６】  次に、実施の形態３を示す図１１〜図１３において、組立花器は外枠１、保持体２２、上部閉塞板３、下部閉塞板４、貯水容器５より構成されている。
実施の形態３は、上記実施の形態１における保持体２に、壁面に並設するところの垂直板２３を接合する場合の実施例であり、外枠１、上部閉塞板３、下部閉塞板４、貯水容器５は実施の形態１におけるものと共通である。
【００３７】  保持体２２は、一対の保持板６、２４から構成され、一対の保持板６、２４は上記実施の形態１の一対の保持板６、７と同等である。
ただし、保持板６、２４のうち、切り込み溝６Ｋを交差線６Ｉ上の下半分に有するところの一方の保持板６は上記実施の形態１におけるものと共通であるが、他方の保持板２４は、連結保持板２５と垂直板２３を一体に接合したものから構成されており、連結保持板２５の対向する縦辺２５Ｂ、２５Ｄのうちの１辺２５Ｄの延長上に、開閉自在なる折り曲げ線をもつて垂直板２３を付設し、この連結保持板２５が外枠１内の対角線１Ｐに沿って位置するように、外枠１の４枚の側板１Ａ〜１Ｄのうちの側板１Ｃ内側に、この垂直板２３を接着剤にて接着しており、四辺２５Ａ〜２５Ｄ、側辺２５Ｅ、２５Ｆ、底辺２５Ｇ、保持凹部２５Ｈ、交差線２５Ｉ、中間点２５Ｊ、切り込み溝２５Ｋは、実施の形態１における保持板７の四辺７Ａ〜７Ｄ、側辺７Ｅ、７Ｆ、底辺７Ｇ、保持凹部７Ｈ、交差線７Ｉ、中間点７Ｊ、切り込み溝７Ｋにそれぞれ相当するものである。
したがって、十字形に交差する一対の保持板６、２４は外枠１内に固定されることとなり、この外枠１が接着テープ等にて壁面に接着されるならば、上記実施の形態１と同等の要領にて貯水容器５及び上部閉塞板３、下部閉塞板４を装着して、組立花器は壁面に固定できることとなる。
なお、外枠１を折り畳む場合、側板１Ｃ内側に接着した連結保持板２５は、外枠１の側板１Ａと１Ｄ、１Ｂと１Ｃの間に収納されて、外枠１はほぼ扁平状に折り畳まれることとなる。
【００３８】  上記の実施例において、垂直板２３を外枠１の側板１Ｃ内側に接着し、この側板１Ｃを壁面に接着して組立花器を壁面に固定するようにしているが、この垂直板を側板１Ｃ両端の２角１Ｇ、１Ｈの間に挟着できる巾をもつて、上辺高さを外枠１の上部開口縁１Ｒより高くするところの四辺形のものとし、この下辺には外枠１を係止するためのものを設け、この垂直板の上辺を壁面に接着して組立花器を壁面に固定するようにしてもよい。なお、壁面への固定方法は接着のほかに、紐で吊るしたり、吸着盤等で固定できることは言うまでもない。
【図面の簡単な説明】
【００３９】
【図１】本発明の実施の形態１を示す組立花器の側面より見た要部断面図
【図２】同組立花器の平面より見た要部断面図
【図３】同切り込み溝を交差線上の上半分に有するところの保持板の平面図
【図４】同切り込み溝を交差線上の下半分に有するところの保持板の平面図
【図５】同上部閉塞板の平面図
【図６】同下部閉塞板の平面図
【図７】本発明の実施の形態２を示す組立花器の側面より見た要部断面図
【図８】同組立花器の平面より見た要部断面図
【図９】同切り込み溝を交差線上の上半分に有するところの二重保持板と分割水平板を接合したものの展開図
【図１０】同切り込み溝を交差線上の下半分に有するところの二重保持板と分割水平板を接合したものの展開図
【図１１】本発明の実施の形態３を示す組立花器の側面より見た要部断面図
【図１２】同組立花器の平面より見た要部断面図
【図１３】同切り込み溝を交差線上の上半分に有するところの保持板の展開図
【符号の説明】
【００４０】                                                            １  外枠
１Ａ〜１Ｄ  側板
１Ｅ〜１Ｈ、４Ａ〜４Ｄ  角
１Ｉ  のり代
１Ｊ〜１Ｍ  折曲げ線
１Ｎ  下部開口縁
１Ｐ、１Ｑ、４Ｅ、４Ｆ  対角線
１Ｒ  上部開口縁
１Ｓ  上部開口部
１Ｔ  下部開口部
２、８、２２  保持体
３  上部閉塞板
３Ａ  生花挿し入れ口
３Ｂ  開口縁
４  下部閉塞板
４Ｇ〜４Ｊ、６Ｋ、７Ｋ、１７Ｋ〜２０Ｋ、２５Ｋ  切り込み溝
５  貯水容器
５Ａ  側面
５Ｂ  底面
６、７、１１、１２、２４  保持板
６Ａ〜６Ｄ、７Ａ〜７Ｄ、１３Ａ〜１３Ｄ
１４Ａ〜１４Ｄ、１５Ａ〜１５Ｄ、１６Ａ〜１６Ｄ、１７Ａ〜１７Ｄ
１８Ａ〜１８Ｄ、１９Ａ〜１９Ｄ、２０Ａ〜２０Ｄ、２５Ａ〜２５Ｄ  四辺
６Ｅ、６Ｆ
７Ｅ、７Ｆ、１７Ｅ〜２０Ｅ、１７Ｆ〜２０Ｆ、２５Ｅ、２５Ｆ  側辺
６Ｇ、７Ｇ、１７Ｇ〜２０Ｇ、２５Ｇ  底辺
６Ｈ、７Ｈ、１７Ｈ〜２０Ｈ、２５Ｈ  保持凹部
６Ｉ、７Ｉ、１７Ｉ〜２０Ｉ、２５Ｉ  交差線
６Ｊ、７Ｊ、１７Ｊ〜２０Ｊ、２５Ｊ  中間点
９  上側水平板
９Ａ、１０Ａ  分割線
１０  下側水平板
１３〜１６  分割水平板
１７〜２０  二重保持板
２１Ａ、２１Ｂ  開口部
２３  垂直板
２５  連結保持板
【図１】
2007289613.tif 000003
【図２】
2007289613.tif 000004
【図３】
2007289613.tif 000005
【図４】
2007289613.tif 000006
【図５】
2007289613.tif 000007
【図６】
2007289613.tif 000008
【図７】
2007289613.tif 000009
【図８】
2007289613.tif 000010
【図９】
2007289613.tif 000011
【図１０】
2007289613.tif 000012
【図１１】
2007289613.tif 000013
【図１２】
2007289613.tif 000014
【図１３】
2007289613.tif 000015